(57)【要約】【課題】  簡単に使用者の体格等に合わせて適宜高さ調節でき、取り扱い容易でお年寄りや身障者等が一人で立って安全に移動できるようにした歩行補助器を提供することにある。【解決手段】  キャスター２を備えた転動可能な一対の逆Ｔ字形状の支持脚３と、上部前握り杆１３と左右の上部横握り杆１７を少なくとも備えた平面視コ字形の握り枠体４と、上記握り枠体４を上記支持脚３に固定する固定具５とからなり、上記支持脚３を所定間隔を以って対峙させると共に、対峙させた支持脚３の間に上記握り枠体４を平面視コ字形状に配して両側を隣接する各支持脚３に、段階的に所望の高さに調整して固定具５で固定できるようにした。【選択図】  図１
2007082781.tif 000002
【特許請求の範囲】
【請求項１】
キャスターを備えた転動可能な一対の逆Ｔ字形状の支持脚と、上部前握り杆と左右の上部横握り杆を少なくとも備えた平面視コ字形の握り枠体と、上記握り枠体を上記支持脚に固定する固定具とからなり、上記支持脚を所定間隔を以って対峙させると共に、対峙させた支持脚の間に上記握り枠体を平面視コ字形状に配して両側を隣接する各支持脚に、段階的に所望の高さに調整して固定具で固定できるようにした構成を特徴とする歩行補助器。
【発明の詳細な説明】
【技術分野】
【０００１】
本発明は、お年寄りや身障者等の歩行の介添えに有用な歩行補助器に関するものである。
【背景技術】
【０００２】
一般に足腰の弱ったお年寄りや、身障者等が室内等をひとりで移動する場合、身体のバランスを崩して転ぶ危険性がある、そこで、お年寄り等が室内等を移動する時には介添え者が身体を支えたり手を握ってやったりしている。しかしながら、一般家庭では常にお年寄り等の傍についていて、その都度介添えするのもなかなか大変なことである。
【０００３】
そこで従来から人に代わって介添えするための種々の歩行補助器が開発されている。たとえば、特許文献１や特許文献２等に記載されているものがある。特許文献１に記載のものは、老人や病人を対象にしたものであり、身体を収納し得る収納凹所を備えた平面視コ字形状の補助器本体を備えた転動可能な歩行補助器である。また、特許文献２に記載のものは、走行輪を有するコの字型の走行部材の中心部に、２本の可動可能なアームを持つ支持部材を有する構成の起立補助装置付歩行器である。
【０００４】
【特許文献１】特開２００１−３５３１９３号公報
【特許文献２】特開平０９−３２７４８５号公報
【発明の開示】
【発明が解決しようとする課題】
【０００５】
しかしながら、上記の特許文献１に記載のような歩行補助器では、補助器本体の把持部（グリップ）の高さを使用者の扱いやすい高さに調節することができない。また、キャスターを備えた補助器本体は平面視コ字形状であるため、床の段差等にキャスターが引っかかったりした時に前側に体重がかかってバランスを崩し、前に歩行補助器とともに倒れてしまうといった危険性がある。また、上記の特許文献２に記載の起立補助装置付歩行器も、走行輪を有する走行部材がコの字型であるため、上記した特許文献１に記載のものと同様の危険性を有している。
【０００６】
本発明は、上記したような問題点を解決し、前側に体重がかかってバランスを崩しても倒れるといった心配が殆どなく、簡単に使用者の体格等に合わせて適宜高さ調節でき、かつ、取り扱い容易でお年寄りや身障者等が一人で立って安全に移動できるようにした歩行補助器を提供することを目的とする。
【課題を解決するための手段】
【０００７】
本発明は、キャスターを備えた転動可能な一対の逆Ｔ字形状の支持脚と、上部前握り杆と左右の上部横握り杆を少なくとも備えた平面視コ字形の握り枠体と、上記握り枠体を上記支持脚に固定する固定具とからなり、上記支持脚を所定間隔を以って対峙させると共に、対峙させた支持脚の間に上記握り枠体を平面視コ字形状に配して両側を隣接する各支持脚に、段階的に所望の高さに調整して固定具で固定できるようにした構成を特徴とする歩行補助器である。
【発明の効果】
【０００８】
本発明の歩行補助器によれば、上部前握り杆や左右の上部横握り杆を握って押せば、他の人に介添えを頼むことなく一人で所望の場所に容易に移動することができ、また、握り枠体の高さをお年寄りや身障者等の使用者の所望の高さに調整することができるため、各人の体格等に合わせて使用でき非常に扱い易い。また、キャスターを備えた一対の支持脚は、逆Ｔ字形状であるので、握り枠体の前側に体重がかかったり、床の段差等にキャスターが引っかかったりしても、前に倒れるのを防ぐことができて非常に安全である。また、
移動する時や、その場で立っている時には、上部前握り杆や左右の上部横握り杆を握ることによって、安全にかつ楽に移動したり、その場で立っていたりすることができる。また、歩行補助器を使用している最中に少し休憩したくなったときには、上部前握り杆を両手で握って前屈みの姿勢になれば楽に休憩することができる。
【発明を実施するための最良の形態】
【０００９】
以下、本発明を実施するための最良の形態を図に基いて説明する。
図１〜図３は本発明に係る歩行補助器に関する図であって、この歩行補助器１は、キャスター２を備えた転動可能な一対の逆Ｔ字形の支持脚３と、コ字形の握り枠体４と、固定具５とからなる。上記支持脚３並びに握り枠体４は全て木製部材によって形成されている。
【００１０】
上記支持脚３（図１〜図３参照）は、両端部７ａ，７ｂを丸く形成した所定長さの真っ直ぐな下部支持杆６の中央部より少し後ろ寄り（一端部７ｂ寄り）に、長方形の枠状に形成した側枠支持体８を、ねじ・ナット１９で連結して立設し、逆Ｔ字形に形成したものである。また各側枠支持体８の前縦杆８ａと後縦杆８ｂの上端部寄りには、固定具５であるねじまたはボルトを挿入できるように一定間隔を以って２つの貫通孔９が形成してある。なお、側枠支持体８は板状部材であってもよい。また、側枠支持体８は、図８に示すように下部支持杆６の中央部に立設してもよい。本発明における支持脚３の逆Ｔ字形とは、下部支持杆６と側枠支持体８とによって逆Ｔ字形に形成してあれば、正確な逆Ｔ字形でなくてもよく、例えばＬ字形に近いような逆Ｔ字形を含む形状である。さらに、下部支持杆６と側枠支持体８とは一体的に形成されたものであってもよい。
【００１１】
上記各支持脚３の下部支持杆６の両端部７ａ，７ｂの下面側には、キャスター２が設けてある。各支持脚３の下部支持杆６の一端部７ｂ側のキャスター２は、ローラ１０の回転を任意にロックできるロック機構（図示せず）を備えている。１１は上記ロック機構（図示せず）を操作する操作部である。
【００１２】
次に上記握り枠体４は、長方形の枠状に形成した一対の側枠１２と、同じ長さの上部前握り杆１３と下部杆１４と複数のねじ１５とナット１６からなり、所定間隔を以って対峙させた上記側枠１２の前縦枠部１４ａの上部を上部前握り杆１３を介してねじ１５とナット１６で連結するとともに、前縦枠部１４ａの下部を下部杆１４を介してねじ１５とナット１６で連結し、平面視コ字形状に組み立て形成した枠状のものである。また、各側枠１２の上部前握り杆１３並びに上部横握り杆１７は、それぞれ両端部を太く形成して、使用者が上部前握り杆１３や上部横握り杆１７を握って下方に力を入れても強度的に丈夫なようにしてある。
【００１３】
また、上記各側枠１２の前縦枠部１４ａ並びに後縦枠部１４ｂには、下部寄りに、上記した側枠支持体８の前縦杆８ａ並びに後縦杆８ｂに開けた２つの貫通孔９と同じ間隔を以って複数(図示の例では７つ)の貫通孔１８が開けてある。
【００１４】
上記のようにして形成された本発明にかかる歩行補助器１にあっては、使用する場合、図４〜図７に示すように使用者の体格等に合わせて、各支持脚３の側枠支持体８に対する握り枠体４の高さを調整し、扱い易い高さにして、図４、図５に示すように握り枠体４の両側の上部横握り杆１７を左右の手で握り、少し前屈みになって前へ押すことにより、各キャスター２が転がって一人でも容易に歩行することができる。
【００１５】
また、握り枠体４を支える各支持脚３は逆Ｔ字形であるため、例えばキャスター２が床の段差に引っかかったりしても、上部横握り杆１７や上部前握り杆１３をしっかり握っていれば、歩行補助器１が大きくバランスを崩して前倒れてしまうといったことがない。したがって、お年寄りを一人にして歩行補助器１を使用させておいても家族は安心である。
【００１６】
また、握り枠体４は平面視コ字形に形成されているので、図６に示すように使用時に身体を握り枠体４の中に入れて歩行補助器１を押すことができ、バランス良く、常に安定した状態で使用することができる。
【００１７】
さらに、使用中に疲れて少し休憩をしたい場合には、図７に示すように上部前握り杆１３を握り、両肘を各上部横握り杆１７に載せてさらに前屈みになって体重を上部前握り杆１３に掛けるようにすれば、楽な姿勢で休息することができる。勿論、この状態で歩行補助器１を押して使用してもよい。なお、上記したナットは、１例として一定長さの金属軸または金属筒部材の側部にねじ穴を形成したものであり、ねじを挿入する孔と直交する方向から連結する部材に横穴を開けて埋め込み、上記ねじを上記ねじ穴にねじ込んで各部材を連結するようにしたものである。
【図面の簡単な説明】
【００１８】
【図１】本発明にかかる１例の歩行補助器の斜視図である。
【図２】本発明にかかる歩行補助器の背面図である。
【図３】本発明にかかる歩行補助器の側面図である。
【図４】本発明にかかる歩行補助器の使用状態の説明図である。
【図５】本発明にかかる歩行補助器の使用状態の説明図である。
【図６】本発明にかかる歩行補助器の使用状態の説明図である。
【図７】本発明にかかる歩行補助器の使用状態の説明図である。
【図８】本発明にかかる歩行補助器の他の例の側面図である。
【符号の説明】
【００１９】
１    歩行補助器
２    キャスター
３    支持脚
４    握り枠体
５    固定具
１３  上部前握り杆
１７  上部横握り杆
【図１】
2007082781.tif 000003
【図２】
2007082781.tif 000004
【図３】
2007082781.tif 000005
【図４】
2007082781.tif 000006
【図５】
2007082781.tif 000007
【図６】
2007082781.tif 000008
【図７】
2007082781.tif 000009
【図８】
2007082781.tif 000010